(57)【要約】【課題】  明るさを維持しつつ、光源の光出力を低下させることができる照明装置を提供する。【解決手段】  光源１を有して壁に取り付けられる器具本体２と、光源１を覆うグローブ３と、を備え、グローブ３は、光源１の全面に配置される第１のグローブ部分３ａと、第１のグローブ部分３ａと係合し光源１の側面に配置される第２のグローブ部分３ｂと、を有し、正面視にて、第２のグローブ部分３ｂの第１のグローブ部分３ａと係合する部分は、第２のグローブ部分３ｂの側方に突出する突出部分３ｃを有している。【選択図】図１
2006012499.tif 000002
【特許請求の範囲】
【請求項１】
光源を有して壁に取り付けられる器具本体と、光源を覆うグローブと、を備え、グローブは、光源の全面に配置される第１のグローブ部分と、第１のグローブ部分と係合し光源の側面に配置される第２のグローブ部分と、を有し、正面視にて、第２のグローブ部分の第１のグローブ部分と係合する部分は、第２のグローブ部分の側方に突出する突出部分を有していることを特徴とする照明装置。
【請求項２】
第２のグローブ部分は、一体成形されていることを特徴とする請求項１記載の照明装置。
【請求項３】
第１のグローブ部分の全光線に対する透過率は、第２のグローブ部分の透過率よりも小さいことを特徴とする請求項２記載の照明装置。
【請求項４】
第２のグローブ部分の側面の少なくとも一部に、光を拡散させる凹凸部分を形成したことを特徴とする請求項１から３までのいずれかに記載の照明装置。
【発明の詳細な説明】
【技術分野】
【０００１】
本発明は、照明装置に関するものである。
【背景技術】
【０００２】
この種の従来例として、特開平１１−２１３７２５号公報に記載のものが挙げられる。この照明器具においては、図６に示すように、器具本体Ｊ１と、グローブＪ２とを有しており、器具本体Ｊ１は、光源Ｊ３を有して壁Ｊ４に取り付けられる。そして、円板状の基部Ｊ１ａの外周部に前方へ突出する略円筒状の取付部Ｊ１ｂを設け、中心側に取付台保持用の凸形状の台座Ｊ１ｃを設けて構成されている。取付部Ｊ１ｂの内側には、グローブ用パッキン保持部Ｊ１ｄが形成されるとともに、グローブ固定用のねじ山の形状の固定突起Ｊ１ｅが所定のピッチで形成されている。器具本体Ｊ１は、壁Ｊ４との間取付パッキンＪ７を挟んで、これを壁Ｊ４に加圧するように、基部Ｊ１ａに差し込まれた取付ねじＪ８を壁Ｊ４側にねじ込むことにより壁Ｊ４に取り付けられる。ランプソケットＪ９は円筒体の後端側が台座Ｊ１ｃに取り付けられている。また、ランプソケットＪ９の光源Ｊ３の上側の近傍には光源Ｊ３からの熱を防ぐために、遮熱板Ｊ１０が設けられている。光源Ｊ３は、たとえば、６０Ｗの白熱灯から構成され、ランプソケットＪ９に装着されている。Ｊ１３は壁Ｊ４より引き出されてランプソケットＪ９に接続されるリード線である。
【０００３】
このように構成されている照明器具において、グローブＪ２は光源Ｊ３からの光をスポット光として壁Ｊ４から離れる方向に屈折させる配光制御部Ｊ１１をグローブＪ２の下向きとなる位置に設けているため、照射方向が下向きで壁面から離れるようなスポット光を得ることができる。このため、たとえば、照明器具の下方の壁面に鏡を設置した場合、スポット的な光が下方向手前に照射され、洗顔や化粧などのグルーミング時に、より明るい配光を得ることができる。また、グローブの配光制御部以外は拡散部であるため、前方や側方から照明器具を見ても眩しくない。
【特許文献１】特開平１１−２１３７２５号公報（図１）
【発明の開示】
【発明が解決しようとする課題】
【０００４】
ところが、上記の従来例においては、照明器具を正面から見た場合には、グローブＪ２の明るさが一様なため、たとえば、省エネのために光源の光出力を低下させた場合、グローブＪ２全体が一様に暗くなってしまう。したがって、明るさを維持しつつ、光源の光出力を低下させる、すなわち、省エネ効果を奏することができなかった。
【０００５】
本発明は、上記問題点に鑑みてなしたものであり、その目的とするところは、明るさを維持しつつ、光源の光出力を低下させることができる照明装置を提供することにある。
【課題を解決するための手段】
【０００６】
請求項１に記載の照明装置においては、光源を有して壁に取り付けられる器具本体と、光源を覆うグローブと、を備え、グローブは、光源の全面に配置される第１のグローブ部分と、第１のグローブ部分と係合し光源の側面に配置される第２のグローブ部分と、を有し、正面視にて、第２のグローブ部分の第１のグローブ部分と係合する部分は、第２のグローブ部分の側方に突出する突出部分を有していることを特徴とする。
【０００７】
請求項２に記載の照明装置においては、第２のグローブ部分は、一体成形されていることを特徴とする。
【０００８】
請求項３に記載の照明装置においては、第１のグローブ部分の全光線に対する透過率は、第２のグローブ部分の透過率よりも小さいことを特徴とする。
【０００９】
請求項４に記載の照明装置においては、第２のグローブ部分の側面に光を拡散させる凹凸部分を形成したことを特徴とする。
【００１０】
なお、本明細書における、「エッジ効果」とは、以下の効果をいうものとする。すなわち、たとえば、断面視にて略長方形状であって光を透過・導光する部材（たとえば、屈折率が１．３〜１．５程度であって、屈折率が１．０程度である空気の屈折率よりも大きいアクリル）がある場合において、この部材に光が照射されたときに、当該部材の側面などから部材に入射した光のうち一部の光が、当該部材の内部で全反射を繰り返し、長方形状部材の一端に到達して、その端部（エッジ部）の明るさが、部材の側面よりも増すことをいうものとする。
【発明の効果】
【００１１】
以上、請求項１に記載の発明においては、正面視にて、第２のグローブ部分の第１のグローブ部分と係合する部分は、第２のグローブ部分の側方に突出する突出部分を有しているので、光源から照射された光が、第２のグローブ部分の中を導光していき、第２のグローブ部分の側方に突出したエッジ部分の明るさが増加する。すなわち、光源の光出力を低下させた場合においても、エッジ部分が明るさはそれほど低下せず、第１のグローブ部分の明るさの低下を補完することができる。
【００１２】
また、請求項２に記載の発明においては、第２のグローブ部分は一体成形されているので、光源から照射された光の第２のグローブ部分内における導光効率を上昇させることができる。
【００１３】
さらに、請求項３に記載の発明においては、第１のグローブ部分の全光線に対する透過率は、第２のグローブ部分の透過率よりも小さいので、第１のグローブ部分に対して第２のグローブ部分、特に、エッジ部分の明るさ及びクリア感が向上し、照明装置の意匠性が向上する。
【００１４】
さらにまた、請求項４に記載の発明においては、第２のグローブ部分の側面の少なくとも一部に、光を拡散させる凹凸部分を形成したので、第２のグローブ部分の側面の明るさに変化を付けることができ、照明装置の意匠性が向上する。
【発明を実施するための最良の形態】
【００１５】
以下、本発明の実施の形態を図１から図５までを参照して説明する。図１は本照明装置の断面図を示しており、図２は本照明装置の正面図を示している。また、図３は本照明装置の斜視図を示しており、図４は本照明装置において、グローブ３の突出部分３ｃのエッジ効果を示している。さらに、図５は突出部分３ｃの変形例を示している。本照明装置は、たとえば、浴室や洗面場所など種々の場所に設置することができる。
【００１６】
つぎに、各部の構成を説明する。
【００１７】
光源１は、本発明の照明装置において、光源となるものであり、たとえば、発光部の直径が略３０ｍｍのクリプトン電球から構成されている。この光源１は、口金部（図示せず）がソケット５の前面側凹部（図示せず）内に螺合している。ソケット５は、基体６に対して前面側へ突出した状態で壁８に取り付けられており、このソケット５には、後端面側に電源供給用の電源線１０が接続されている。また、光源１の配置態様は、断面視においては、光源１の外形の一部が上下に備えられた第２のグローブ部分３ｂの突出部分３ｃの結ぶ線上となるように配置され、かつ、正面視においては、グローブ３内のほぼ中央となるように配置されている。
【００１８】
なお、本実施の形態においては、光源１としてクリプトン電球を用いているが、光源１はその他、６０Ｗ程度の一般の白熱電球でもよい。
【００１９】
器具本体２は、本発明の照明装置において、光源１やグローブ３が固定される基台となるものであり、円板状の基体６の外周部に、円筒状の支持部６ａを備えている。また、基体６の中心部には、ソケット５を取り付けるための開口６ｂが形成されている。さらに、器具本体２の前面側には、断面視にて壁８と略平行である反射板６ｃが配置されており、光源１から上方や下方に照射された光は、この反射板６ｃによって反射され、光が有効利用される。さらにまた、基体６は壁８に対して取付ネジ９によって、パッキンなどを介して密着固定されている。
【００２０】
グローブ３は、光源１を覆い、光源１やソケット５が水蒸気や湿気などの影響を受けるのを防ぐとともに、光源１からの光を拡散して、使用者に対して眩しくないようにするものである。このグローブ３はさらに、光源１の全面に配置される第１のグローブ部分３ａと第１のグローブ部分３ａと係合し、光源１の側面に配置される第２のグローブ部分３ｂとから構成されている。
【００２１】
第１のグローブ部分３ａは、乳白色の部材から構成され、形状は、断面視にて光源１を覆うようにしてなる略弓形であり、正面視にて略円形状である。この第１のグローブ部分３ａの乳白色の部材として本実施の形態では、不必要な天空方向への光量をより抑えるという観点から、透明な熱可塑性樹脂に酸化チタンや硫酸バリウムなどの白色顔料を分散させたメタクリル樹脂を用いている。そして、第１のグローブ部分３ａの肉厚は、第１のグローブ部分３ａの強度面から必要とされる肉厚１．０ｍｍ以上であって、第１のグローブ部分３ａの重量の増加をできるだけ抑えるために、肉厚２．０ｍｍ以下としている。また、全光線に対する透過率（以下、全光線透過率という。）の値が略７０％を越える材料を用いると、第１のグローブ部分３ａ面での拡散効果が不充分となり、照明グローブの肉厚を増加させなければならないので、全光線透過率の値が７０％以下となるように酸化チタンや硫酸バリウムなどを適宜、メタクリル樹脂に分散配合させている。本実施の形態では、メタクリル樹脂を用いたが、もちろん、その他、ポリカーボネート、又はガラスなどに酸化チタンや硫酸バリウムなどの白色顔料を配合した乳白色の部材を用いてもよい。
【００２２】
また、第１のグローブ部分３ａの下面側には、第１のグローブ部分３ａの側面の周囲に沿って、光源１からの光を拡散させる凹凸部分４が設けられている。そして、この凹凸部分４は、第１のグローブ部分３ａと一体成形されている。また、この凹凸部分４は光を屈折させるプリズムのような効果を奏し、この凹凸部分４によって、光源１からの光がスポット光として、壁８から離れる方向であって、下向きに照射される。このため、たとえば、本照明装置の下側の壁面に鏡を設置した場合、スポット的な光が下方向手前に照射され、洗顔や化粧などのグルーミング時により明るい配光を得ることができる。
【００２３】
第２のグローブ部分３ｂは、透明の部材から構成され、形状は、断面視にて、壁８から離れるにしたがって開口部が上下方向に拡大していくとともに、正面視にて略円形状である。そして、第２のグローブ部分３ｂの第１のグローブ部分３ａと係合する部分は、少なくとも第２のグローブ部分３ｂの側方に突出しており、正面視にてこの突出部分３ｃを形成する部分の外周は、第１のグローブ部分３ａを含んでいる。すなわち、突出部分３ｃは、第１のグローブ部分３ａと第２のグローブ部分３ｂとの接続部分の外周に沿って、略環形状に形成されている。そして、この突出部分３ｃを含む第２のグローブ部分３ｂの全ての部分は、一体成形されている。このため、光源１からの光がこの第２のグローブ部分３ｂ内を導光するときは、光損失を少なくすることができ、効率よく光を突出部分３ｃの端部まで、導光することができる。
【００２４】
この第２のグローブ部分３ｂの透明の部材として、本実施の形態では、突出部分３ｃの光によるエッジ効果をより際だたせるために、全光線透過率が８０％以上のクリアなメタクリル樹脂を用いている。全光線透過率が８０％未満だと、使用者が第２のグローブ部分３ｂを見たときに、突出部分３ｃのエッジ効果による光の輪郭がはっきりと認識できない場合がある。特に、第１のグローブ部分３ａと第２のグローブ部分３ｂとの全光線透過率の差が数％程度だと、突出部分３ｃがエッジ効果を奏しているのかどうか、明確でない場合がある。本実施の形態では、第１のグローブ部分３ａの全光線透過率は、第２のグローブ部分３ｂの透過率よりも、少なくとも１０％以上は小さくなっているので、上記のような問題は生じにくくなるのである。
【００２５】
そして、上記のように第２のグローブ部分３ｂの透明感を向上させると、メタクリル樹脂をあたかもガラス素材のように見せることができ、照明装置全体の高級感を向上させることができる。
【００２６】
また、第２のグローブ部分３ｂの肉厚は、第１のグローブ部分３ａと同様に、第２のグローブ部分３ｂの強度面から必要とされる肉厚１．０ｍｍ以上であって、第２のグローブ部分３ｂの重量の増加をできるだけ抑えるために、肉厚２．０ｍｍ以下としている。しかしながら、エッジ効果をより効果的に演出しようとする場合には、第２のグローブ部分３ｂの重量の増加を多少犠牲にして、肉厚を３．０ｍｍ程度としても構わない。肉厚が厚い、すなわち、エッジ部分の厚みがあるほど、エッジ効果を強調することができるのである。特に、このようにエッジ効果を強調すると、照明装置の軽さ感、高級感を演出することができる。また、このようにエッジ効果を強調しても、メタクリル樹脂をあたかもガラス素材のように見せることができ、照明装置全体の高級感を向上させることができる。
【００２７】
なお、第２のグローブ部分３ｂの材質として本実施の形態では、透明アクリルを用いているが、第１のグローブ部分３ａと同様に、その他、ポリカーボネート、又はガラスなどの透明の部材を用いてもよい。
【００２８】
また、第２のグローブ部分３ｂの突出部分３ｃとして、その他、断面視にて図５（ａ）に示すように厚さ方向に対して傾斜しているものでもよく、図５（ｂ）に示すように三角形状のものでもよく、図５（ｃ）に示すように波型のものでもよい。図５（ａ）に示すものの場合、使用者が本照明装置を斜めから見たときに、突出部分３ｃの壁８側の鋭端部が前面側よりも明るさを増すので、使用者は奥行き感を感じることができる。また、図５（ｂ）に示すものの場合、厚さ方向において、突出部分３ｃの略中央のの鋭端部の明るさが増すので、使用者はシャープ感を感じることができる。図５（ｃ）に示すものの場合、照明装置が２重の光のリングによって巻回されているので、照明装置の意匠性を向上させることができる。
【００２９】
また、本実施の形態においては、突出部分３ｃを第２のグローブ部分３ｂの周囲全体に連続的に設けたが、もちろん、突出部分３ｃを第２のグローブ部分３ｂの周囲に一定の間隔で設けてもよいし、離散的に設けてもよい。要は、第２のグローブ部分３ｂの周囲の少なくとも一部に突出部分３ｃを設けておけば、エッジ効果を奏することができる。
【００３０】
以上、本実施の形態によれば、第２のグローブ部分３ｂの第１のグローブ部分３ａと係合する部分は、少なくとも第２のグローブ部分３ａの側方に突出しており、第２のグローブ部分３ｂの屈折率は空気よりも大きいので、光源１から第２のグローブ部分３ａ内に入射した光が、第２のグローブ部分３ａの突出部分３ｃまで導光されていき、エッジ効果を奏することができる。このため、省エネのために、光源１の光出力を低下させた場合においても、この突出部分３ｃの明るさによって、第１のグローブ部分３ａの明るさの低下を補完することができる。
【図面の簡単な説明】
【００３１】
【図１】本照明装置を示す断面図である。
【図２】本照明装置を示す正面図である。
【図３】本照明装置を示す斜視図である。
【図４】本照明装置において、グローブ３の突出部分３ｃのエッジ効果を示す図である。
【図５】突出部分３ｃの変形例を示す図である。
【図６】従来例を示す断面図である。
【符号の説明】
【００３２】
１                光源
２                器具本体
３                グローブ
３ａ              第１のグローブ部分
３ｂ              第２のグローブ部分
４                凹凸部分
【図１】
2006012499.tif 000003
【図２】
2006012499.tif 000004
【図３】
2006012499.tif 000005
【図４】
2006012499.tif 000006
【図５】
2006012499.tif 000007
【図６】
2006012499.tif 000008